(57)【要約】【課題】交信しているパソコン間または端末装置間で、データファイル表示状態を同期させることができる通信システムを提供する。【解決手段】データベースや文章データファイルを保管管理するサーバ１が任意の通信プロトコル（デジタル通信ネットワーク６）にて交信可能に接続された複数のパーソナルコンピュータ２、３より要求された任意のデータファイルを提供することができる通信システムにおいて、パーソナルコンピュータ２、３は提供されたデータファイルを表示するアプリケーションを持ち、任意の同じデータファイルを表示している一対のパーソナルコンピュータ同士は互いの表示画面の操作情報を逐次または単位時間毎にサーバ１を介して送受信することで互いのデータファイル表示状態を同期させる。【選択図】        図１
2004280201.tif 000002
【特許請求の範囲】
【請求項１】
データベースや文章データファイルを保管管理するホストコンピュータまたはサーバが任意の通信プロトコルにて交信可能に接続された複数の端末装置またはパーソナルコンピュータより要求された任意のデータファイルを提供することができる通信システムにおいて、前記端末装置またはパーソナルコンピュータは提供されたデータファイルを表示するアプリケーションを持ち、任意の同じデータファイルを表示している一対の端末装置同士またはパーソナルコンピュータ同士は互いの表示画面の操作情報を逐次または単位時間毎にホストコンピュータまたはサーバを介して送受信することで互いのデータファイル表示状態を同期させることを特徴とする通信システム。
【請求項２】
請求項１の通信システムにおいて、前記端末装置またはパーソナルコンピュータのディスプレイに表示されている文章を含むデータファイル上にキーボードやマウスを含むデータ入力補助装置により入力され、画面上の任意の箇所に上書き表示されるグラフィックやテキストは、前記データファイルに関連した座標や縮尺データを含む配置情報を加えたデータとしてホストコンピュータまたはサーバを介して相手に送受信することで、互いのデータファイル表示状態を同期させるとともに、文章ファイルの上に重ねて表示されているグラフィックやテキストは、あたかもデータファイルの表示イメージ上に追加記入されたかの如く文章ファイルの表示位置や縮尺の操作に合わせて縮尺や配置を追従し表示することが可能なアプリケーションを備えたことを特徴とする通信システム。
【請求項３】
請求項２の通信システムにおいて、ディスプレイに表示されているデータファイルのイメージ上に上書き入力されたグラフィックやテキストおよび表示画面の操作情報は、入力、操作順序ごとにファイルとして任意の記憶装置上に記録保管され、端末装置またはパーソナルコンピュータにより表示のステップバック、ステップフォワード操作可能であるとともに、操作情報も含めて入力順序ごとにファイルとして記録することが可能であり、任意のときに表示、非表示が可能であるアプリケーションを備えていることを特徴とする通信システム。
【請求項４】
請求項１ないし請求項３のいずれかの通信システムにおいて、ホストコンピュータまたはサーバを介して送受信される表示画面の操作情報およびキーボードやマウスを含むデータ入力補助装置により画面上の任意の箇所に上書き表示されるグラフィックやテキストのデータは、端末装置またはパーソナルコンピュータにて他の通信データとともに多重化処理し、逐次または単位時間毎にホストコンピュータまたはサーバを介して任意の端末装置またはパーソナルコンピュータ間により送受信することを特徴とする通信システム。
【請求項５】
請求項４の通信システムにおいて、前記端末装置またはパーソナルコンピュータは、音声の入出力を行う音声入出力装置および音声ＣＯＤＥＣ装置を備えることにより、音声の交信データは、表示画面の操作情報およびキーボードやマウスを含むデータ入力補助装置により画面上の任意の箇所に上書き表示されるグラフィックやテキストのデータとともに多重化処理され、ホストコンピュータまたはサーバを介して送受信されることを特徴とする通信システム。
【請求項６】
請求項１ないし請求項４のいずれかの通信システムにおいて、ホストコンピュータまたはサーバに複数ｎ台の任意の端末装置またはパーソナルコンピュータがネットワークにて接続されており、ホストコンピュータまたはサーバを介して送受信される画面操作情報およびキーボードやマウスを含むデータ入力補助装置により画面上の任意の箇所に上書き表示されるグラフィック情報は、１対（ｎ−１）にて交信ができるようにホストコンピュータまたはサーバにて制御しており、特定の端末装置またはパーソナルコンピュータに複数の受信データが同時に混線する場合には、あらかじめ決められた送受信制御プログラムにより通信容量的に同時に送信できないデータは、ホストコンピュータまたはサーバ内の記憶装置に一時記憶することでデータの損失を防止し、順次記憶データを送信していくことを特徴とする通信システム。
【発明の詳細な説明】
【０００１】
【発明の属する技術分野】
本発明は、データベースや文章データファイルなどを保管管理するホストコンピュータまたはサーバが任意の通信プロトコルにて交信可能に接続された複数の端末装置またはパーソナルコンピュータ（以下、パソコン）より要求された任意のデータファイルを提供することができる通信システムに関する。
【０００２】
【従来の技術】
上記の通信システムに関連して、例えば、特許文献１に示される画面共有システムでは、文章サーバ上にある文章ファイルを共通に表示している複数の端末において文章ファイルの修正操作などを行った場合、操作内容を一旦同期サーバに送信して他の端末画面と同期させることにより、各端末の表示画面内容の不一致発生を解消する技術が提案されている。
【特許文献１】特開２００１ー２７３２１９公報
【０００３】
【発明が解決しようとする課題】
現在一般に普及しているインターネットなどのネットワークにおいてパソコン端末はサーバ上のデータベースやホームページへ任意の情報を要求し、それに対してサーバは要求された表示データを提供している。このような通信では端末使用者は特定の情報を得ることが主目的であり、端末間のコミュニケーションとしてｅメールやチャットなどテキストレベルの情報の交換手段が主流であった。しかしＣＧＩ（Ｃｏｍｍｏｎ  Ｇａｔｅｗａｙ  Ｉｎｔｅｒｆａｃｅ）プログラムによるチャットやＩＰ電話が普及してくると端末間の高度コミュニケーションが可能となるが、その１つの手段として表示画面の共有化、同期化が要求される。
本発明は、交信しているパソコン間または端末装置間で、データファイル表示状態を同期させることができる通信システムを提供することを目的とする。
【０００４】
【課題を解決するための手段】
上記目的を達成するために、請求項１記載の発明は、データベースや文章データファイルを保管管理するホストコンピュータまたはサーバが任意の通信プロトコルにて交信可能に接続された複数の端末装置またはパーソナルコンピュータより要求された任意のデータファイルを提供することができる通信システムにおいて、端末装置またはパーソナルコンピュータは提供されたデータファイルを表示するアプリケーションを持ち、任意の同じデータファイルを表示している一対の端末装置同士またはパーソナルコンピュータ同士は互いの表示画面の操作情報を逐次または単位時間毎にホストコンピュータまたはサーバを介して送受信することで互いのデータファイル表示状態を同期させる通信システムを最も主要な特徴とする。
請求項２記載の発明は、請求項１の通信システムにおいて、端末装置またはパーソナルコンピュータのディスプレイに表示されている文章を含むデータファイル上にキーボードやマウスを含むデータ入力補助装置により入力され、画面上の任意の箇所に上書き表示されるグラフィックやテキストは、データファイルに関連した座標や縮尺データを含む配置情報を加えたデータとしてホストコンピュータまたはサーバを介して相手に送受信することで、互いのデータファイル表示状態を同期させるとともに、文章ファイルの上に重ねて表示されているグラフィックやテキストは、あたかもデータファイルの表示イメージ上に追加記入されたかの如く文章ファイルの表示位置や縮尺の操作に合わせて縮尺や配置を追従し表示することができるアプリケーションを備えた通信システムを主要な特徴とする。請求項３記載の発明は、請求項２の通信システムにおいて、ディスプレイに表示されているデータファイルのイメージ上に上書き入力されたグラフィックやテキストおよび表示画面の操作情報は、入力、操作順序ごとにファイルとして任意の記憶装置上に記録保管され、端末装置またはパーソナルコンピュータで表示のステップバック、ステップフォワード操作可能であるとともに、操作情報も含めて入力順序ごとにファイルとして記録することが可能であり、任意のときに表示、非表示が可能であるアプリケーションを備えている通信システムを主要な特徴とする。
【０００５】
請求項４記載の発明は、請求項１ないし請求項３のいずれかの通信システムにおいて、ホストコンピュータまたはサーバを介して送受信される表示画面の操作情報およびキーボードやマウスを含むデータ入力補助装置により画面上の任意の箇所に上書き表示されるグラフィックやテキストのデータは、端末装置またはパーソナルコンピュータにて他の通信データとともに多重化処理し、逐次または単位時間毎にホストコンピュータまたはサーバを介して任意の端末装置またはパーソナルコンピュータ間で送受信する通信システムを主要な特徴とする。
請求項５記載の発明は、請求項４の通信システムにおいて、端末装置またはパーソナルコンピュータは、音声の入出力を行う音声入出力装置および音声ＣＯＤＥＣ装置を備えることにより、音声の交信データは、表示画面の操作情報およびキーボードやマウスを含むデータ入力補助装置により画面上の任意の箇所に上書き表示されるグラフィックやテキストのデータとともに多重化処理され、ホストコンピュータまたはサーバを介して送受信される通信システムを主要な特徴とする。
請求項６記載の発明は、請求項１ないし請求項４のいずれかの通信システムにおいて、ホストコンピュータまたはサーバに複数ｎ台の任意の端末装置またはパーソナルコンピュータがネットワークにて接続されており、ホストコンピュータまたはサーバを介して送受信される画面操作情報およびキーボードやマウスを含むデータ入力補助装置により画面上の任意の箇所に上書き表示されるグラフィック情報は、１対（ｎー１）にて交信ができるようにホストコンピュータまたはサーバにて制御しており、特定の端末装置またはパーソナルコンピュータに複数の受信データが同時に混線する場合には、あらかじめ決められた送受信制御プログラムにより通信容量的に同時に送信できないデータは、ホストコンピュータまたはサーバ内の記憶装置に一時記憶することでデータの損失を防止し、順次記憶データを送信していく通信システムを主要な特徴とする。
【０００６】
【発明の実施の形態】
以下、本発明の実施の形態を図面にしたがって説明する。
まず請求項１に記載した発明の実施の形態を説明する。
図１は本発明の第１の実施の形態に係る通信システムの概念図である。サーバ１はＷｅｂサーバのようにホームページなどのデータファイル４をデータベースに管理し、デジタル通信ネットワーク６にて接続されているパソコン２とパソコン３から要求された共通のデータファイル４を提供している。パソコン２および３は提供されたデータファイル４を表示アプリケーションにより表示画面５（５−１、５−２）としてディスプレイ上に表示している。
ここで、パソコン２、３は現在の表示画面の情報をサーバ１に送信することにより、サーバ１内のプログラム７にて表示画面は同じに同期する信号に処理される。そして処理された情報をパソコン２、３に配信することにより、パソコン２、３はディスプレイ上で同じ表示をする。さらにパソコン２、３でそれぞれスクロール、表示の拡大縮小など表示画面操作を行った場合は前述と同様な経路で逐次サーバ１を介して操作情報を送受信することにより、ほぼリアルタイムに表示画面を同期させることができる。
図２は本発明の第２の実施の形態に係る通信システムの概念図である。本実施の形態はホストコンピュータのネットワークで実施した場合の概念図である。任意の一対の端末装置９、１０より要求されたデータファイルはホストコンピュータ８より提供され、おのおのの画面に表示した状態を示している。基本的な仕組みは図１に示す第１の実施の形態の場合と同様である。
【０００７】
次に請求項２記載の発明を説明する。
図３は画面操作例を示す概念図である。表示画面２０は画面操作前のパソコン２、パソコン３の表示画面であり、図１に示す通信システムによりサーバ１から提供されたデータファイル４は同じ表示状態にて表示されている。表示画面２１はパソコン２において表示されているデータファイル４上の任意の位置にキーボードやマウスなどのデータ入力補助装置により文字情報「ア」を入力した状態を示しており、入力された文字情報はサイズおよび位置情報を含んだグラフィック情報αとして矢印２３にてサーバ１を介してパソコン３に送信され、表示画面２２に示されるようにデータファイル４上の同じ位置に表示される。
さらにこのグラフィック情報αはパソコン２で表示画面２４に示されるようにスクロール操作を行った場合、画面操作情報βとしてスクロール操作情報が矢印２６にてサーバ１を介してパソコン３に送信されるので、パソコン３の表示画面もデータファイルの表示がパソコン２と同じにスクロールされると同時に、前記グラフィック情報αは位置情報を持っているので表示画面２５に示されるようにあたかもデータファイル上に貼り付いている如く移動される。
また、表示画面２７に示されるようにデータファイルの表示をパソコン２において拡大した場合も同様に、矢印２９にてサーバ１を介してパソコン３に送信されデータファイルの表示が拡大されると同時に、前記グラフィック情報αはサイズ情報を持っているため表示画面２８のようにあたかもデータファイル上に貼り付いている如く拡大される。パソコン３からパソコン２にも同様なデータ送信が逐次行われることにより相互の画面操作による表示画面は同期させることができる。
【０００８】
次に請求項３記載の発明を説明する。
図４は図３の画面操作をステップ順に示す模式図である。矢印４４、４５、４６は操作ステップを表している。ここで表示画面４０はサーバ１から提供されたデータファイル４を表示したデフォルト状態を示している。表示画面４１は表示されているデータファイル４上の任意の位置にキーボードやマウスなどのデータ入力補助装置により文字情報「ア」を入力した画面を示しており、このとき入力された文字情報はサイズおよび位置情報を含んだグラフィック情報αとしてパソコン内部の記憶装置４８に保管される。
また、表示画面４２、４３に示されるように画面操作を順次行ったときはそれぞれ画面操作情報βおよびγが操作順序とともに記憶装置４８に保管されている。したがって、任意の操作ステップの表示状態に戻すことが可能であり、そのステップ操作情報はサーバ１を介して相手のパソコンに送信することにより同期表示も可能である。また、記憶装置４８はサーバ１に設置しパソコン側の要求に対してその都度操作信号を配信しても良い。
次に請求項４記載の発明を説明する。
図５は本発明の通信システムによる送信データのモデルの第１の例を示す図である。矢印５０は通常の送信情報の流れを、矢印５１は本発明のグラフィック情報および画面操作情報の流れを表している。画面操作情報５４は画面操作１ステップの情報量を表している。いくつものパケットに分かれて送信される大容量データ５３が送信中には画面操作情報５４は同時に送信されないため、相手側のパソコンの画面同期にはタイムラグが生じてしまう。
図６は本発明の通信システムによる送信データのモデルの第２の例を示す図である。パソコン内部に設けられたデータ多重化部５６により通常の送信情報５２は画面操作情報５４と多重化処理されるので、大量に通常の送信データを送信中でも画面操作情報５４を途切れることなく送信することができる。また、受信も同様に可能であるのでパソコン相互間の画面同期表示にはタイムラグが生じにくい。
【０００９】
次に請求項５記載の発明を説明する。
図７はパソコンの構成図である。パソコン６０（図１のパソコン２、３に対応）には音声コーデック部６２を備えているので、マイク６３から入力した音声はデジタルコード化され演算処理部６１にて処理可能であり、送信されてくる同様にデジタルコード化された音声情報は音声に変換されてスピーカ６４より再生することができる。
図８は本発明の通信システムによる送信データのモデルの第３の例を示す図である。矢印５７はデジタルコード化された音声情報の流れを表している。パソコン内部に設けられたデータ多重化部５７により音声情報５８は通常の通信情報５２、画面操作情報５４とともに多重化処理され送信されるため途切れることなく送信することができる。また、受信も同様に可能である。
次に請求項６記載の発明を説明する。
図９は本発明の第３の実施の形態に係る通信システムの概念図である。通信システムにおいてｎ台のパソコンシステムがネットワーク上に設置され、共通のサーバ７０に接続されている。サーバ７０は任意のパソコンシステム７４が常時複数ｎ−１台の通信相手と交信するための通信交換を１対（ｎ−１）にて行えるように通信制御処理を行っている。
ここで任意のパソコンシステム７４に複数の相手からのデータが混線するとサーバ７０は、同時に送信できない通信データを一時記憶装置７１に保存し、あらかじめ演算処理部７２にて設定された優先順位により、送信順位を決めるか一定の送信時間を決めて複数のパソコンシステムからの送信データを並列処理するようなプログラムを設定しておくことで、混線によるデータの損失を防止し安定した交信ができる。ここで、パソコン間で交信する通信データは請求項１〜５の発明による情報でありｎ台間の表示画面を同期処理することができる。
【００１０】
【発明の効果】
請求項１の通信システムにおいては、交信しているパソコン間または端末装置間でおのおのの表示画面の操作情報を、逐次または単位時間毎にホストコンピュータまたはサーバを介して送受信することで、互いのデータファイル表示状態を同期させることができる。
請求項２の通信システムにおいては、画面にあらかじめ表示している文章や図面などのデータファイルの表示上に、キーボードやマウスなどのデータ入力補助装置により入力した文字やグラフィック情報を配置位置および縮尺を含めたデータとして記録、送受信するので、画面のスクロール操作や表示の拡大、縮小操作を行っても、あたかもデータファイル上に貼り付いている如く追従して移動、拡大縮小し配置および縮尺を合わせて表示することができる。
請求項３の通信システムにおいては、表示されているデータファイル上の任意の位置に、キーボードやマウスなどのデータ入力補助装置により入力したグラフィック情報や画面操作情報は操作順序とともに順次記憶装置に保管されるので、任意の操作ステップの表示状態に戻すことが可能であり、表示・非表示の選択などコミュニケーションや情報の活用に役立つ操作ができる。
請求項４の通信システムにおいては、グラフィック情報や画面操作情報は他の交信データと多重化処理した状態で送受信することで、大容量のデータを総受信している時もほとんどタイムラグなく表示画面の同期をとることができる。
請求項５の通信システムにおいては、パソコンシステムに音声を入出力する音声入出力装置と音声ＣＯＤＥＣ装置を備えているので、請求項１〜４の表示画面の同期と合わせて音声のリアルタイム交信ができる。また、音声情報はグラフィック情報や画面操作情報および他の交信データと多重化処理して送受信されるので大容量のデータを総受信している時もほとんどタイムラグなく音声の交信が可能である。
請求項６の通信システムにおいては、ネットワークにて接続されているｎ台のパソコンシステムが共通のサーバを介してグラフィック情報や画面操作情報および音声情報を交信することで、複数のパソコン間で請求項１〜５の機能を実現でき、かつサーバにはあらかじめ設定された優先順位により送信順位を決めるか一定の送信時間を決めて複数のパソコンシステムからの送信データを並列処理するようなプログラムが設定されているので混線によるデータの損失を防止し安定した交信ができる。
【図面の簡単な説明】
【図１】本発明の第１の実施の形態に係る通信システムの概念図である。
【図２】本発明の第２の実施の形態に係る通信システムの概念図である。
【図３】画面操作例を示す概念図である。
【図４】図３の画面操作をステップ順に示す模式図である。
【図５】本発明の通信システムによる送信データのモデルの第１の例を示す図である。
【図６】本発明の通信システムによる送信データのモデルの第２の例を示す図である。
【図７】パソコンの構成図である。
【図８】本発明の通信システムによる送信データのモデルの第３の例を示す図である。
【図９】本発明の第３の実施の形態に係る通信システムの概念図である。
【符号の説明】
１  サーバ、２、３  パソコン、６  デジタル通信ネットワーク、８  ホストコンピュータ、９、１０  端末装置
【図１】
2004280201.tif 000003
【図２】
2004280201.tif 000004
【図３】
2004280201.tif 000005
【図４】
2004280201.tif 000006
【図５】
2004280201.tif 000007
【図６】
2004280201.tif 000008
【図７】
2004280201.tif 000009
【図８】
2004280201.tif 000010
【図９】
2004280201.tif 000011